(57)【特許請求の範囲】
【請求項１】
各階ごとにエレベータかごが停止できるようにするため、エレベータかご側に設けられ、上記エレベータかごの位置を検出する着床スイッチを有する着床スイッチ組立体と、昇降路側の各階ごとに設けられ、上記着床スイッチを動作させる着床作動カムと、上記昇降路側に設けられ、昇降路の上記上端部から上記下端部まで一体に延び、上記着床作動カムを固定するカム取付手段とを有する着床スイッチ装置および
エレベータかごの終点位置を検出する終点スイッチを有する終点スイッチ装置を備え、エレベータかごの位置を検出して制御する位置検出装置の改修工事において、
上記着床作動カムを上記カム取付手段から取り外す工程と、
上記着床スイッチを上記終点スイッチとして動作するように、終点作動カムを昇降路の上端部および下端部にそれぞれ位置するように上記カム取付手段に固定する工程とを備え、
上記着床スイッチおよび上記カム取付手段を再利用する
エレベータ用位置検出装置の改修方法。
【請求項２】
上記着床スイッチとして、近接スイッチをエレベータかご側に設置する工程と、
上記近接スイッチに近接することにより上記近接スイッチを動作させる検知体を上記昇降路側の各階ごとに設置する工程とを備えた請求項１記載のエレベータ用位置検出装置の改修方法。
【発明の詳細な説明】
【０００１】
【発明の属する技術分野】
この発明は、エレベータかごが最上階および最下階に停止する場合の行き過ぎ走行を防止する安全装置として機能するエレベータ用終点スイッチ装置、エレベータかごが各階ごとに停止できるようにエレベータかごの位置を検出する着床スイッチ装置等のエレベータ用位置検出装置およびその改修方法に関し、従来廃材となるべきものを有効活用したエレベータ用位置検出装置およびその改修方法に関するものである。
【０００２】
【従来の技術】
図４は、従来のエレベータ用位置検出装置をエレベータかごの上面側から見た状態を示す平面図である。
図において、昇降路１０内の両側には昇降路１０の上端部から下端部まで、ガイドレール６が設置されている。ガイドレール６の上端部および下端部には、エレベータかご８が最上階よりも上方へあるいは最下階よりも下方へ行き過ぎるのを防止するためにかご８の位置を検知する終点スイッチ７が固定されている。終点スイッチ７には、一端にローラ３ｂが回転自在に支持された検知レバー３ａ（図３参照）を設けられている。
一方、かご８には終点スイッチ作動用カム３が設けられている。この終点スイッチ作動用カム３がローラ３ｂに接触し検知レバー３ａを移動させることにより終点スイッチ７が動作する。また、かご８には、各階ごとにかご８が停止できるようにするため、かご８の位置を検出する着床スイッチを内部に有する着床スイッチ組立体であるメカランユニット（メカニカルランディングスイッチユニット）１が設けられている。
昇降路１０内には、昇降路１０の上端部から下端部まで一体に延びたスチールテープ８が、昇降路１０の内壁に沿って張られている。
なお、１１は乗場扉、１２はかご扉、１３はかご８上に設けられたドアマシン、１４はかご８上に設けられた上梁、１５は主索、１６はガバナロープである。
【０００３】
図３は、従来のエレベータ用位置検出装置をエレベータかごの側面側から見た状態を示す側面図である。
図において、メカランユニット１は、かご８を支える縦柱２７に固定されている。メカランユニット１の内部には、各階ごとにかご８が停止できるようにするため、かご８がどの階にあるかを検出する着床スイッチとして機能するメカランスイッチ１ａ、１ｂ、１ｃがそれぞれのスチールテープ２に対応して設けられている。
スチールテープ２は、昇降路１０内の内壁に固定されたガイドレール６に固定されて設けられたスチールテープ取付腕２４に固定されている。スチールテープ２には台形状の着床作動カム２３が設けられている。メカランスイッチ１ａ、１ｂ、１ｃはかご８が上下に移動して、この着床作動カム２３と接触し、メカランスイッチ１ａ、１ｂ、１ｃに設けられた図示しない検知レバーが移動することによって動作する。なお、２９は昇降路１０の最上部の天井である機械室の床である。
【０００４】
従来より、速度アップ等のリフォームを目的としたエレベータの改修工事においては、既設機器を全面的に交換、あるいは主要機器の部分的な交換が行われる。終点スイッチ装置、着床スイッチ装置等のエレベータ用位置検出装置に関しても、既設の終点スイッチ装置、着床スイッチ装置を同一の新規な位置検出装置に交換することになる。一般に、これらのスイッチ装置を交換する場合、メカランスイッチユニット１、スチールテープ２、着床作動カム２３、終点スイッチ７をすべて撤去して同一の新規なものに交換することになる。
【０００５】
【発明が解決しようとする課題】
しかしながら、交換すべき既設の位置検出装置を撤去して同一の新規の位置検出装置を設置するため、位置検出装置を構成するスチールテープ２、着床作動カム２３、終点スイッチ７等が廃材として大量に発生することになるという問題点があった。また、時代の進歩とともに、新たな構造の位置検出装置も増加し、エレベータ設置当時の位置検出装置と同一の装置に交換するより、むしろ新たな構造の新機構を有する装置に交換するほうが信頼性も高く経済的な場合もある。
【０００６】
この発明は、このような課題を解決するためになされたもので、本来廃材となるべきスチールテープ、着床スイッチとしてするメカランスイッチユニット等の既設の位置検出装置の構成部品を再利用したエレベータ用位置検出装置およびその改修方法を得ることを目的とする。
【０００８】
【課題を解決するための手段】
この発明に係るエレベータ用位置検出装置の改修方法は、各階ごとにエレベータかごが停止できるようにするため、エレベータかご側に設けられエレベータかごの位置を検出する着床スイッチを有する着床スイッチ組立体と、昇降路側の各階ごとに設けられ着床スイッチを動作させる着床作動カムと、昇降路側に設けられ昇降路の上端部から下端部まで一体に延び、着床作動カムを固定するカム取付手段とを有する着床スイッチ装置およびエレベータかごの終点位置を検出する終点スイッチを有する終点スイッチ装置を備え、エレベータかごの位置を検出して制御する位置検出装置の改修工事において、着床作動カムをカム取付手段から取り外す工程と、着床スイッチを終点スイッチとして動作するように終点作動カムを昇降路の上端部および下端部にそれぞれ位置するようにカム取付手段に固定する工程とを備え、着床スイッチおよびカム取付手段を再利用するものである。
【０００９】
また、この発明に係るエレベータ用位置検出装置の改修方法は、着床スイッチとして近接スイッチをエレベータかご側に設置する工程と、近接スイッチに近接することにより近接スイッチを動作させる検知体を昇降路側の各階ごとに設置する工程とを備えるものである。
【００１０】
【発明の実施の形態】
この発明の実施形態に係るエレベータ用位置検出装置およびその改修方法を図に基づいて説明する。
従来例として上述した図４は、この発明の実施形態に係るエレベータ用位置検出装置の改修方法についての改修前の状態をも示すものである。また、図２は、この発明の実施形態に係るエレベータ用位置検出装置の改修方法により改修した後の状態を示す平面図である。また、図１は、この発明の実施形態に係るエレベータ用位置検出装置をエレベータかごの側面側から見た状態を示す側面図である。
図２において、改修前には、着床スイッチを有する着床スイッチ組立体を構成していた図４のメカランスイッチユニット１をエレベータかご８の終点位置を検出する終点スイッチを有する終点スイッチ組立体１００として利用している。また、着床スイッチとしては近接スイッチ１０１を使用している
【００１１】
実施形態に係るエレベータ用位置検出装置を改修する方法は、まず、図３の状態において、昇降路１０の上端部から下端部まで一体に延び昇降路１０の内壁に沿って張られているカム取付手段であるスチールテープ２から、着床作動カム２３を取り外す。
図１において、次に、着床スイッチとして使用されていたメカランスイッチ１ａ、１ｂ、１ｃ（図３参照）をそのまま終点スイッチ１００ａ、１００ｂ、１００ｃとして使用する。かご８が所定の位置にきたとき、終点スイッチ１００ａ、１００ｂ、１００ｃが動作するように加工された台形形状の終点作動カム１０３を昇降路１０の上端部および下端部にそれぞれ位置するようにスチールテープ２に固定する。したがって、メカランスイッチ１ａ、１ｂ、１ｃはそのまま終点スイッチ１００ａ、１００ｂ、１００ｃとなり、例えば、メカランスイッチ１ａ（終点スイッチ１００ａ）はＵＳＲスイッチ、メカランスイッチ１ｂ（終点スイッチ１００ｂ）はＵＬスイッチ、メカランスイッチ１ｃ（終点スイッチ１００ａ）はＵＯＴスイッチとして使用する。ここで、ＵＳＲスイッチは昇降路１０の最上階でエレベータを上昇方向から下降方向へ方向転換させるための信号を図示しないエレベータ制御装置に指示するスイッチである。また、ＵＬスイッチは、さらなるエレベータの上昇を防止し、最上階でエレベータを停止させるための信号を図示しないエレベータ制御装置に指示するスイッチである。さらに、ＵＯＴスイッチは、最上階で、ＵＬスイッチ信号が動作しているにもかかわらず、何らかの原因でさらにかご８が上昇する場合に図示しない安全装置に信号を送り、安全装置を動作させるスイッチである。
【００１２】
次に、図２に示すように、終点スイッチ作動用カム３（図４参照）を撤去し、その場所を利用して、かご８側に着床スイッチとして近接スイッチ１０１を設置する。さらに、ガイドレール６から終点スイッチ７を撤去する。
次に、近接スイッチ１０１が着床スイッチとして機能できるように、近接スイッチ１０１に近接することにより近接スイッチ１０１を動作させる検知体であるプレート１０２を昇降路１０側の各階ごとの所定の位置に設置する。
【００１３】
このように、改修前の終点スイッチ７およびメカランスイッチユニット１のうち、終点スイッチ７は撤去するが、メカランスイッチユニット１は撤去せず、エレベータの行き過ぎ走行を制限する機能を有する終点スイッチとして再利用する。また、スチールテープ２も従来であれば撤去してしまうが、着床作動カム２３のみを撤去し、スチールテープ２自体はそのまま利用し、終点作動カム１０２を新たに装着する。
したがって、本来なら廃材となるメカランスイッチユニット１およびスチールテープ２が再利用でき、資源の有効利用が図れる。また、昇降路１０の最上階、最下階部分に設けていた終点スイッチを新たに設置する必要がないとともにスチールテープ２を撤去して張り替える必要がなく改修工事の作業時間の短縮が図れる。
【００１５】
【発明の効果】
この発明に係るエレベータ用位置検出装置の改修方法によれば、各階ごとにエレベータかごが停止できるようにするため、エレベータかご側に設けられエレベータかごの位置を検出する着床スイッチを有する着床スイッチ組立体と、昇降路側の各階ごとに設けられ着床スイッチを動作させる着床作動カムと、昇降路側に設けられ昇降路の上端部から下端部まで一体に延び、着床作動カムを固定するカム取付手段とを有する着床スイッチ装置およびエレベータかごの終点位置を検出する終点スイッチを有する終点スイッチ装置を備え、エレベータかごの位置を検出して制御する位置検出装置の改修工事において、着床作動カムをカム取付手段から取り外す工程と、着床スイッチを終点スイッチとして動作するように終点作動カムを昇降路の上端部および下端部にそれぞれ位置するようにカム取付手段に固定する工程とを備え、着床スイッチおよびカム取付手段を再利用するので、本来なら廃材となる着床スイッチ組立体およびカム取付手段が再利用でき、資源の有効利用が図れる。また、昇降路の最上階、最下階部分に終点スイッチを新たに設置する必要がなく、またカム取付手段を撤去して張り替える必要がなく改修工事の作業時間の短縮が図れる。
【図面の簡単な説明】
【図１】  この発明の実施形態に係るエレベータ用位置検出装置をエレベータかごの側面側から見た状態を示す側面図である。
【図２】  この発明の実施形態に係るエレベータ用位置検出装置の改修方法により改修した後のエレベータかごの上面側から見た状態を示す平面図である。
【図３】  従来のエレベータ用位置検出装置をエレベータかごの側面側から見た状態を示す側面図である。
【図４】  従来のエレベータ用位置検出装置をエレベータかごの上面側から見た状態を示す平面図である
【符号の説明】
２  スチールテープ（カム取付手段）、８  エレベータかご、１０  昇降路、１００  メカランスイッチユニット（終点スイッチ組立体）、１００ａ、１００ｂ、１００ｃ  メカランスイッチ（終点スイッチ）、１０１  近接スイッチ、１０２  プレート（検知体）、１０３  終点作動カム。
【図１】
0003772045.tif 000002
【図２】
0003772045.tif 000003
【図３】
0003772045.tif 000004
【図４】
0003772045.tif 000005